(57)【要約】【課題】  宇宙において、大クエーサー群であるU1.27やスローン・グレートウオ―ルやグレートウオールはどのように存在しているのか。宇宙の大規模構造の上限は12億光年であると考えられている。もしそうであるならば、U1.27の大きさ40.4×108光年は存在できないことになる。U1.27の長さが40.4×108光年であることを検証する。【解決手段】  大クエーサー群で、最大の距離のものの距離は176.8×108光年です。それで、宇宙の半径を、180光年の場合、150億光年の場合について、まず考える。グレートウオールやスローン・グレートウオ―ルやU1.27が存在する宇宙の軌道半径を計算する。その軌道半径の円周を計算する。U1.27の大きさ÷U1.27が存在する軌道の円周、を計算する。その値は、360度分の何度に当たるかを計算する。360度分の180度であると、観察可能範囲になる。また、軌道半径の速度を計算する。【選択図】図１
2015080288.tif 000002
【特許請求の範囲】
【請求項１】
大クエーサー群の一覧より、最も遠くの大クエーサー群はコンバーグ・クラフツオフ・ルカシュ大クエーサー群8で、176.8×108光年です。
それで、宇宙の半径を180×108光年とする。この軌道に地球は存在するとする。
・この軌道半径の速度はいくらか。
宇宙の中心のブラックホールが作る軌道エネルギーの式より、
速度2＝4.827×1027JKm÷半径＝4.827×1027JKm÷(180×108光年)＝4.827×1027JKm÷(180×108×9.46×1012Km)＝2.835×104J
速度＝(2.835×104)1/2=1.684
×102Km
宇宙の半径を180×108光年とすると、この軌道の速度は1.684 ×102Kmです。
この軌道に地球が存在するとする。
【請求項２】
宇宙の半径を180×108光年とする。この軌道に地球は存在するとする。宇宙におけるグレートウオ―ルはどのようであるか。
グレートウオールは、地球から約2×108光年離れた位置にあり、5×108光年以上の長さです。
・グレートウオ―ルの軌道半径はいくらか。
グレートウオールは、地球から約2×108光年離れた位置にあるから、
グレートウオールが存在する軌道半径＝地球が存在する軌道半径−2×108光年＝180×108光年−2×108光年＝178×108光年。
・グレートウオールが存在する軌道の円周はいくらか。
2πr=2π×178×108光年＝11.18×1010光年。
・グレートウオールの長さは軌道の円周の何倍か。
グレートウオールの長さ÷軌道の円周＝5×108光年÷(11.18×1010光年)＝4.472×10−3倍
・これは360分の何度か。
4.472×10−3倍＝x÷360
ｘ＝4.472×10−3倍×360＝1.610(度)
・この軌道の速度はいくらか。
速度2＝4.827×1027JKm÷半径＝4.827×1027JKm÷(178×108光年)＝4.827×1027JKm÷(178×108×9.46×1012Km)＝2.867×104J
速度＝(2.867×104)1/2=1.693×102Km。
【請求項３】
宇宙の半径を180×108光年とする。この軌道に地球は存在するとする。宇宙におけるスローン・グレートウオ―ルはどのようであるか。
スローン・グレートウオ―ルは、地球からの距離は10.6×108光年の位置にあり、長さは全長13.7×108光年です。
・スローン・グレートウオ―ルの軌道半径はいくらか。
スローン・グレートウオ―ルは、地球から10.6×108光年離れた位置にあるから、
スローン・グレートウオ―ルが存在する軌道半径＝地球が存在する軌道半径−10.6×108光年＝180×108光年−10.6×108光年＝169.4×108光年。
・スローン・グレートウオ―ルが存在する軌道の円周はいくらか。
2πr=2π×169.4×108光年＝10.64×1010光年。
・スローン・グレートウオ―ルの長さは軌道の円周の何倍か。
スローン・グレートウオ―ルの長さ÷軌道の円周＝13.7×108光年÷(10.64×1010光年)＝1.288×10−2倍
・これは360分の何度か。
1.288×10−2倍＝x÷360
ｘ＝1.288×10−2倍×360＝4.637(度)
・この軌道の速度はいくらか。
速度2＝4.827×1027JKm÷半径＝4.827×1027JKm÷(169.4×108光年)＝4.827×1027JKm÷(169.4×108×9.46×1012Km)＝3.012×104J
速度＝(3.012×104)1/2=1.736×102Km。
【請求項４】
宇宙の半径を180×108光年とする。この軌道に地球は存在するとする。宇宙における大クエーサー群である、U1.27はどのようであるか。
大クエーサー群である、U1.27は、地球から、129.2×１08光年の距離にあり、長さは最大で40.4×108光年、平均直径は16.3×108光年である。
・U1.27の軌道半径はいくらか。
U1.27は、地球から129.2×１08光年の距離にあるから、
U1.27が存在する軌道半径＝地球が存在する軌道半径−129.2×１08光年=180×108光年−129.2×１08光年=50.8×１08光年。
・U1.27が存在する軌道の円周はいくらか。
2πr=2π×50.8×１08光年＝3.190×1010光年。
・U1.27の長さは軌道の円周の何倍か。最大の長さの場合。
U1.27の長さ÷軌道の円周＝40.4×108光年÷(3.190×1010光年)＝1.266×10−1倍。
・これは360分の何度か。
1.266×10−1倍＝x÷360
ｘ＝1.266×10−1倍×360＝45.58(度)。
・U1.27の長さは軌道の円周の何倍か。平均直径の場合。
U1.27の長さ÷軌道の円周＝16.3×108光年÷(3.190×1010光年)＝5.110×10−2倍。
・これは360分の何度か。
5.110×10−2倍＝x÷360
x=5.110×10−2倍×360＝18.40(度)。
・この軌道の速度はいくらか。
速度2＝4.827×1027JKm÷半径＝4.827×1027JKm÷(50.8×１08光年)＝4.827×1027JKm÷(50.8×１08×9.46×1012Km)＝1.004×105J
速度＝(1.004×105)1/2=3.169
× 102Km。
【請求項５】
大クエーサー群の一覧、より、最も遠くの大クエーサー群は176.8×108光年です。
それで、宇宙の半径を180×108光年とする。この軌道に地球は存在するとする。
この場合、グレートウオールが存在する軌道半径は、178×108光年です。
スローン・グレートウオ―ルが存在する軌道半径は、169.4×108光年です。
U1.27が存在する軌道半径は、50.8×１08光年です。
この軌道半径は大きすぎます。
なぜなら、特願  2013−023929  の「請求項2」では、宇宙の半径は、速度が3×102Kmになる軌道半径で、5.669×109光年であると考えたからです。
【請求項６】
それで、宇宙の半径を150×108光年とする。この軌道に地球は存在するとする。
・この軌道半径の速度はいくらか。
宇宙の中心のブラックホールが作る軌道エネルギーの式、速度2＝4.827×1027JKm÷半径＝4.827×1027JKm÷(150×108光年)＝4.827×1027JKm÷(150×108×9.46×1012Km)＝3.402×104J
速度＝(3.402×104)1/2=1.844
×102Km。
宇宙の半径を150×108光年とすると、この軌道の速度は1.844 ×102Kmです。
この軌道に地球が存在するとする。
【請求項７】
宇宙の半径を150×108光年とする。この軌道に地球は存在するとする。この場合、宇宙におけるグレートウオ―ルはどのようであるか。
・グレートウオ―ルの軌道半径はいくらか。
グレートウオールは、地球から約2×108光年離れた位置にあるから、
グレートウオールが存在する軌道半径＝地球が存在する軌道半径−2×108光年＝150×108光年−2×108光年＝148×108光年。
・グレートウオールが存在する軌道の円周はいくらか。
2πr=2π×148×108光年＝9.294×1010光年。
・グレートウオールの長さは軌道の円周の何倍か。
グレートウオールの長さ÷軌道の円周＝5×108光年÷(9.294×1010光年)＝5.380×10−3倍。
・これは360度分の何度か。
5.380×10−3倍＝x÷360
ｘ＝5.380×10−3倍×360＝1.937(度)。
・この軌道の速度はいくらか。
速度2＝4.827×1027JKm÷半径＝4.827×1027JKm÷(148×108光年)＝4.827×1027JKm÷(148×108×9.46×1012Km)＝3.448×104J
速度＝(3.448×104)1/2=1.857×102Km。
【請求項８】
宇宙の半径を150×108光年とする。この軌道に地球は存在するとする。この場合、宇宙におけるスローン・グレートウオ―ルはどのようであるか。    
・スローン・グレートウオ―ルの軌道半径はいくらか。
スローン・グレートウオ―ルは、地球から10.6×108光年離れた位置にあるから、
スローン・グレートウオ―ルが存在する軌道半径＝地球が存在する軌道半径−10.6×108光年＝150×108光年−10.6×108光年＝139.4×108光年。
・スローン・グレートウオ―ルが存在する軌道の円周はいくらか。
2πr=2π×139.4×108光年＝8.754×1010光年。
・スローン・グレートウオ―ルの長さは軌道の円周の何倍か。
スローン・グレートウオ―ルの長さ÷軌道の円周＝13.7×108光年÷(8.754×1010光年)＝1.565×10−2倍。
・これは360分の何度か。
1.565×10−2倍＝x÷360
ｘ＝1.565×10−2倍×360＝5.634(度)。
・この軌道の速度はいくらか。
速度2＝4.827×1027JKm÷半径＝4.827×1027JKm÷(139.4×108光年)＝4.827×1027JKm÷(139.4×108×9.46×1012Km)＝3.660×104J
速度＝(3.660×104)1/2=1.913×102Km。
【請求項９】
宇宙の半径を150×108光年とする。この軌道に地球は存在するとする。この場合、宇宙における大クエーサー群である、U1.27はどのようであるか。
・U1.27の軌道半径はいくらか。
U1.27は、地球から129.2×１08光年の距離にあるから、
U1.27が存在する軌道半径＝地球が存在する軌道半径−129.2×１08光年=150×108光年−129.2×１08光年=20.8×１08光年。
・U1.27が存在する軌道の円周はいくらか。
2πr=2π×20.8×１08光年＝1.306×1010光年。
・U1.27の長さは軌道の円周の何倍か。最大の長さの場合。
U1.27の長さは÷軌道の円周＝40.4×108光年÷(1.306×1010光年)＝3,093×10−1倍。
・これは360分の何度か。
3.093×10−1倍＝x÷360
ｘ＝3.093×10−1倍×360＝1.114×102(度)。
・U1.27の長さは軌道の円周の何倍か。平均直径の場合。
U1.27の長さは÷軌道の円周＝16.3×108光年÷(1.306×1010光年)＝1.248×10−1倍。
・これは360分の何度か。
1.248×10−1倍＝x÷360
x=1.248×10−1倍×360＝44.928(度)。
・この軌道の速度はいくらか。
速度2＝4.827×1027JKm÷半径＝4.827×1027JKm÷(20.8×１08光年)＝4.827×1027JKm÷(20.8×１08×9.46×1012Km)＝2.453×105J
速度＝(2.453×105)1/2=4.953
× 102Km。
【請求項１０】
宇宙の半径を150×108光年とする。この軌道に地球は存在するとする。この場合、U1.27が存在する軌道半径は、20.8×１08光年です。この軌道半径は大きすぎます。宇宙の半径はいくらか。
・宇宙の中心のブラックホールが作る軌道で、光速になる軌道半径はいくらか。
半径＝4.827×1027JKm÷速度2＝4.827×1027JKm÷(3×105)2＝4.827×1027JKm÷(9×1010)J＝5.363×1016Km。
5.363×1016Km÷(9.46×1012Km)＝5.669×103光年。
宇宙の中心のブラックホールが作る軌道で、光速になる軌道半径は5.669×103光年です。ここまでインフレーションで拡大する。
この時代を10−20m時代とする。この事については、2013年2月15日に提出した、特願2013−027190、「請求項６」にも記した。
10−20m時代の軌道半径は、5.669×103光年。
10−19m時代の軌道半径は、5.669×104光年。
10−18m時代の軌道半径は、5.669×105光年。
10−17m時代の軌道半径は、5.669×106光年。
10−16m時代の軌道半径は、5.669×107光年。1億年時代
10−15m時代の軌道半径は、5.669×108光年。10億年時代
10−14m時代の軌道半径は、5.669×107光年。100億年時代で、太陽の中心の電子のラブの公転軌道。
10−16m時代は“ブラックホールの素子時代”であり、この場で中心のブラックホールができ、クエーサーができた。
10−15m時代に大クエーサー群ができたと考える。そうすると、10−15m時代の軌道半径は、5.669×108光年で10億年時代です。
それで、U1.27が存在する軌道半径を、5.08×１08光年とする。
宇宙の半径＝U1.27が存在する軌道半径＋U1.27までの距離＝5.08×１08光年＋129.2×108光年＝134.28×108光年。
宇宙の半径は134.28×108光年となる。但し、この半径は地球が存在する軌道半径です。
【請求項１１】
宇宙の半径を134.28×108光年とする。この軌道に地球は存在するとする。この場合、この軌道の速度はいくらか。
速度2＝4.827×1027JKm÷半径＝4.827×1027JKm÷(134.28×108光年)＝4.827×1027JKm÷(134.28×108×9.46×1012Km)＝3.800×104J
速度＝(3.800×104)1/2=1.949×102Km。
宇宙の半径を134.28×108光年とする。この軌道に地球は存在するとする。この軌道の速度は1.949×102Kmです
【請求項１２】
宇宙の半径を134.28×108光年とする。この軌道に地球は存在するとする。この場合、宇宙におけるグレートウオ―ルはどのようであるか。
・グレートウオ―ルの軌道半径はいくらか。
グレートウオールは、地球から約2×108光年離れた位置にあるから、
グレートウオールが存在する軌道半径＝地球が存在する軌道半径−2×108光年＝134.28×108光年−2×108光年＝132.28×108光年。
・グレートウオールが存在する軌道の円周はいくらか。
2πr=2π×132.28×108光年＝8.307×1010光年。
・グレートウオールの長さは軌道の円周の何倍か。
グレートウオールの長さ÷軌道の円周＝5×108光年÷(8.307×1010光年)＝6.019×10−3倍。
・これは360度分の何度か。
6.019×10−3倍＝x÷360
ｘ＝6.019×10−3倍×360＝2.167(度)。
・この軌道の速度はいくらか。
速度2＝4.827×1027JKm÷半径＝4.827×1027JKm÷(132.28×108光年)＝4.827×1027JKm÷(132.28×108×9.46×1012Km)＝3.857×104J
速度＝(3.85×104)1/2=1.964×102Km。
【請求項１３】
宇宙の半径を134.28×108光年とする。この軌道に地球は存在するとする。この場合、宇宙におけるスローン・グレートウオ―ルはどのようであるか。
・スローン・グレートウオ―ルの軌道半径はいくらか。
スローン・グレートウオ―ルは、地球から10.6×108光年離れた位置にあるから、
スローン・グレートウオ―ルが存在する軌道半径＝地球が存在する軌道半径−10.6×108光年＝134.28×108光年−10.6×108光年＝123.68×108光年。
・スローン・グレートウオ―ルが存在する軌道の円周はいくらか。
2πr=2π×123.68×108光年＝7.767×1010光年。
・スローン・グレートウオ―ルの長さは軌道の円周の何倍か。
スローン・グレートウオ―ルの長さ÷軌道の円周＝13.7×108光年÷(7.767×1010光年)＝1.764×10−2倍。
・これは360分の何度か。
1.764×10−2倍＝x÷360
ｘ＝1.764×10−2倍×360＝6.350(度)。
・この軌道の速度はいくらか。
速度2＝4.827×1027JKm÷半径＝4.827×1027JKm÷(123.68×108光年)＝4.827×1027JKm÷(123.68×108×9.46×1012Km)＝4.126×104
速度＝(4.126×104)1/2=2.031×102Km。
【請求項１４】
宇宙の半径を134.28×108光年とする。この軌道に地球は存在するとする。この場合、大クエーサー群である、U1.27はどのようであるか。
・U1.27の軌道半径はいくらか。
U1.27は、地球から129.2×１08光年の距離にあるから、
U1.27が存在する軌道半径＝地球が存在する軌道半径−129.2×１08光年=134.28×108光年−129.2×１08光年=5.08×１08光年。
・U1.27が存在する軌道の円周はいくらか。
2πr=2π×5.08×１08光年＝3.190×109光年。
・U1.27の長さは軌道の円周の何倍か。最大の場合。
U1.27の長さ÷軌道の円周＝40.4×108光年÷(3.190×109光年)＝1.266倍。
・これは360分の何度か。
1.266倍＝x÷360
ｘ＝1.266倍×360＝455.76(度)。
・U1.27の長さは軌道の円周の何倍か。平均直径の場合。
U1.27の長さは÷軌道の円周＝16.3×108光年÷(3.190×109光年)＝5.110×10−1倍。
・これは360分の何度か。
5.110×10−1倍＝x÷360
x=5.110×10−1倍×360＝183.96(度)。
・この軌道の速度はいくらか。
速度2＝4.827×1027JKm÷半径＝4.827×1027JKm÷(5.08×１08光年)＝4.827×1027JKm÷(5.08×１08×9.46×1012Km)＝1.004×106J
速度＝(1.004×106)1/2=1.002× 103Km。
【請求項１５】
U1.27の最大の長さは40.4×108光年である。この長さが180度である場合、宇宙の半径はいくらか。
宇宙の形は球形です。しかし、観察可能圏は約この半分です。この事については、2013年4月15日に提出した、特願2013−084552の「請求項9」に記した。
U1.27の最大の長さは40.4×108光年である。この長さが180度である場合、観察可能圏です。
それで、U1.27の最大の長さが180度となる宇宙の軌道半径を求める。
・U1.27の長さは軌道の円周の何倍か。
U1.27の長さは軌道の円周の倍数＝180度÷360度＝0.5(倍)
・軌道円周はいくらか。
軌道の円周＝U1.27の長さ÷0.5＝40.4×108光年÷0.5＝80.8×108光年
・U1.27が存在する軌道半径はいくらか。
2πｒ＝80.8×108光年
r＝80.8×108光年÷2π＝12.866×108光年。
・地球が存在する軌道半径はいくらか。
U1.27は、地球から129.2×１08光年の距離にあるから、
地球が存在する軌道半径＝U1.27が存在する軌道半径＋地球からの距離＝12.866×108光年＋129.2×１08光年＝142.066×１08光年。
U1.27の最大の長さは40.4×108光年である。この長さが180度である場合、宇宙の軌道半径は142.066×１08光年です。
【請求項１６】
宇宙の半径を142.066×108光年とする。この軌道に地球は存在するとする。この場合、この軌道の速度はいくらか。
速度2＝4.827×1027JKm÷半径＝4.827×1027JKm÷(142.066×108光年)＝4.827×1027JKm÷(142.066×108×9.46×1012Km)＝3.592×104J
速度＝(3.592×104)1/2=1.895×102Km。
宇宙の半径を142.066×108光年とする。この軌道に地球は存在するとする。この軌道の速度は1.895×102Kmです。
【請求項１７】
宇宙の半径を142.066×108光年とする。この軌道に地球は存在するとする。この場合、宇宙におけるグレートウオ―ルはどのようであるか。
・グレートウオ―ルの軌道半径はいくらか。
グレートウオールは、地球から約2×108光年離れた位置にあるから、
グレートウオールが存在する軌道半径＝地球が存在する軌道半径−2×108光年＝142.066×108光年−2×108光年＝140.066×108光年。
・グレートウオールが存在する軌道の円周はいくらか。
2πr=2π×140.066×108光年＝8.796×1010光年。
・グレートウオールの長さは軌道の円周の何倍か。
グレートウオールの長さ÷軌道の円周＝5×108光年÷(8.796×1010光年)＝5.684×10−3倍。
・これは360度分の何度か。
5.684×10−3倍＝x÷360
ｘ＝5.684×10−3倍×360＝2.046(度)。
・この軌道の速度はいくらか。
速度2＝4.827×1027JKm÷半径＝4.827×1027JKm÷(140.066×108光年)＝4.827×1027JKm÷(140.066×108×9.46×1012Km)＝3.643×104J
速度＝(3.643×104)1/2=1.909×102Km。
【請求項１８】
宇宙の半径を142.066とする。この軌道に地球は存在するとする。この場合、宇宙におけるスローン・グレートウオ―ルはどのようであるか。
・スローン・グレートウオ―ルの軌道半径はいくらか。
スローン・グレートウオ―ルは、地球から10.6×108光年離れた位置にあるから、
スローン・グレートウオ―ルが存在する軌道半径＝地球が存在する軌道半径−10.6×108光年＝142.066×108光年−10.6×108光年＝131.466×108光年。
・スローン・グレートウオ―ルが存在する軌道の円周はいくらか。
2πr=2π×131.466×108光年＝8.256×1010光年。
・スローン・グレートウオ―ルの長さは軌道の円周の何倍か。
スローン・グレートウオ―ルの長さ÷軌道の円周＝13.7×108光年÷(8.256×1010光年)＝1.659×10−2倍。
・これは360分の何度か。
1.659×10−2倍＝x÷360
ｘ＝1.659×10−2倍×360＝5.974(度)。
・この軌道の速度はいくらか。
速度2＝4.827×1027JKm÷半径＝4.827×1027JKm÷(131.466×108光年)＝4.827×1027JKm÷(131.466×108×9.46×1012Km)＝3.881×104J
速度＝(3.881×104)1/2=1.970×102Km。
【請求項１９】
宇宙の半径を142.066×108光年とする。この軌道に地球は存在するとする。この場合、大クエーサー群である、U1.27はどのようであるか。
・U1.27の軌道半径はいくらか。
U1.27は、地球から129.2×１08光年の距離にあるから、
U1.27が存在する軌道半径＝地球が存在する軌道半径−129.2×１08光年=142.066×108光年−129.2×１08光年=12.866×１08光年。
・U1.27が存在する軌道の円周はいくらか。
2πr=2π×12.866×１08光年＝8.080×109光年。
・U1.27の長さは軌道の円周の何倍か。最大の長さの場合。
U1.27の長さは÷軌道の円周＝40.4×108光年÷(8.080×109光年)＝0.5倍。
・これは360分の何度か。
0.5倍＝x÷360
ｘ＝0.5×360＝180(度)。
・U1.27の長さは軌道の円周の何倍か。平均直径の場合。
U1.27の長さは÷軌道の円周＝16.3×108光年÷(8.080×109光年)＝2.017×10−1倍。
・これは360分の何度か。
2.017×10−1倍＝x÷360
x=2.017×10−1倍×360＝72.612(度)。
・この軌道の速度はいくらか。
速度2＝4.827×1027JKm÷半径＝4.827×1027JKm÷(12.866×１08光年)＝4.827×1027JKm÷(12.866×１08×9.46×1012Km)＝3.966×105J
速度＝(3.966×105)1/2=6.298× 102Km。
これらの事を表に示す。
表２
2015080288.tif 000005
2015080288.tif 000006
この表から理解できる事。
1．宇宙の半径は、142.066×108光年より大きい。
2．U1.27の最大の長さは40.4×108光年である。
この長さが180度である場合、宇宙の軌道半径は142.066×１08光年です。
この事により、宇宙の大規模構造の上限は12億光年でないことが証明された。
宇宙の軌道半径は142.066×１08光年より大きい場合、角度は180より小さくなる。
しかし、この場合、U1.27が存在する軌道半径は大きく成り過ぎる。
【発明の詳細な説明】
【技術分野】
【０００１】
本発明は、大クエーサー群のU1.27とスローン・グレートウオールとCfA2グレートウオ―ルに関するものである。
【背景技術】
【０００２】
私は２０１３年２月１１日に提出した、特願  2013−023929  の「請求項2」で次のように記した。  
(宇宙の中心に、2.627×1013太陽質量のブラックホールが存在しているとすると、速度が3×102Kmになる軌道は半径何Kmの軌道か。
2.627×1013太陽質量のブラックホールが作る軌道エネルギーの式は、4.827×1027JKm÷距離、です。
距離＝4.827×1027JKm÷速度2＝4.827×1027JKm÷(3×102)2J＝4.827×1027JKm÷(9×104)J＝5.363×1022Km
これは何光年か。
5.363×1022Km÷(9.46×1012Km)＝5.669×109(光年)
よって、速度が3×102Kmになる軌道は半径5.669×109光年です。
宇宙の中心に、2.627×1013太陽質量のブラックホールが存在しているとすると、速度が3×102Kmになる軌道は半径5.669×109光年です。宇宙のブラックホールが作る軌道の回転速度が3×102Kmになる軌道が宇宙の端の軌道であるとするならば、宇宙の直径は2×5.669×109光年＝1.134×1010光年、です。
しかし、宇宙のブラックホールが作る軌道の回転速度が3×102Km以下でも銀河達は存在できるのであれば、宇宙の直径は1.134×1010光年以上になります)
・大クエーサー群である、U1.27は、地球から見て、129.2×１08光年の距離にあり、長さは最大で40.4×108光年、平均直径も16.3×108光年である。
U1.27は、73個のクエーサーで構成された大クエーサー群の1つであり、クエーサーの配置はおよそアルファベットのCの字を描くように並んでいる。
U1.27の質量は合計で6.1×1018太陽質量である。
・スローン・グレートウオ―ルは、地球からの距離は10.6×108光年の位置にあり、長さは全長13.7×108光年である。
・グレートウオールは、地球から約2×108光年離れた位置にあり、5×108光年以上の長さと、約3×108光年の幅を持つ。壁の厚さは約1500万光年です。
【先行技術文献】
【特許文献】
【０００３】
【特許文献１】特願  2013−023929
【特許文献１】特願  2013−027190
【発明の概要】
【発明が解決しようとする課題】
【０００４】
私は、宇宙の半径は5.669×109光年である考えてきた。
しかし、大クエーサー群である、U1.27は、地球から見て、129.2×１08光年の距離にあり、長さは最大で40.4×108光年、平均直径も16.3×108光年である。
はたして宇宙の半径はいくらであるか。
宇宙において、大クエーサー群である、U1.27やスローン・グレートウオ―ルやグレートウオールはどのように存在しているのか。
宇宙の大規模構造の上限は12億光年であると考えられている。
もしそうであるならば、U1.27の大きさ40.4×108光年は存在できないことになる。
はたして、U1.27はどのように存在しているのか。
U1.27の大きさが40.4×108光年であることを検証する。
【課題を解決するための手段】
【０００５】
大クエーサー群の一覧表より、最大の距離を宇宙の半径とする。
大クエーサー群で、最大の距離のものは、コンバーグ・クラフツオフ・ルカシュ大クエーサー群8で、距離は176.8×108光年です。  
それで、宇宙の半径を、180光年の場合、150億光年の場合について、まず考える。
グレートウオールやスローン・グレートウオ―ルやU1.27が存在する宇宙の軌道半径を計算する
その軌道半径の円周を計算する。
U1.27の大きさ÷U1.27が存在する軌道の円周、を計算する。
その値は、360度分の何度に当たるかを計算する。360度分の180度であると、観察可能範囲になる。
また、軌道半径の速度を計算する。
【発明の効果】
【０００６】
1．大クエーサー群の一覧、より、最も遠くの大クエーサー群は176.8×108光年です。
それで、宇宙の半径を180×108光年とする。この軌道に地球は存在するとする。
この場合、グレートウオールが存在する軌道半径は、178×108光年です。
スローン・グレートウオ―ルが存在する軌道半径は、178×108光年です。
U1.27が存在する軌道半径は、50.8×１08光年です。
この軌道半径は大きすぎます。
これは、特願2013−023929  の「請求項2」で求めた、回転速度が3×102Kmになる軌道半径です。
2．宇宙の半径を150×108光年とする。この軌道に地球は存在するとする。
この場合、U1.27が存在する軌道半径は、20.8×１08光年です。この軌道半径は大きすぎます。
3．宇宙の半径はいくらか。
10−16m時代は“ブラックホールの素子時代”であり、この場で中心のブラックホールができ、クエーサーができた。
10−15m時代に大クエーサー群ができたと考える。
そうすると、10−15m時代の軌道半径は、5.669×108光年。10億年時代です。
それで、U1.27が存在する軌道半径を、5.08×１08光年とする。
宇宙の半径＝U1.27が存在する軌道半径＋U1.27までの距離＝5.08×１08光年＋129.2×108光年＝134.28×108光年。
宇宙の半径は134.28×108光年となります。但し、この半径は地球が存在する軌道半径です。
4．宇宙の半径が134.28×108光年の場合。U1.27の最大の長さの角度は＝455.76度で、平均の長さの角度は＝183.96度です。
5．U1.27の最大の長さ40.4×108光年が１つの大クエーサー群として観察されるためには、角度は180度以内でなければならない。
それで、180度になる軌道半径を計算する。
これはU1.27の最大の長さ40.4×108光年が１つの大クエーサー群として観察されるための必要条件です。
6．その宇宙の半径は142.066×108光年です。
【図面の簡単な説明】
【０００７】
【図１】図１は宇宙の半径を142.066×108光年とする場合、宇宙におけるグレートウオ―ルやスローン・グレートウオ―ルやU1.27はどのようであるかを図示する。中央に宇宙の中心のブラックホールが存在する。地球の軌道半径を142.066×108光年とする場合。・グレートウオールは、地球から約2×108光年離れた位置にあり、5×108光年以上の長さです。グレートウオールが存在する軌道半径＝地球が存在する軌道半径−2×108光年＝142.066×108光年−2×108光年＝140.066×108光年。グレートウオールが存在する軌道の円周＝2πr=2π×140.066×108光年＝8.796×1010光年。グレートウオールの長さ÷軌道の円周＝5×108光年÷(8.796×1010光年)＝5.684×10−3倍。・これは360度分の何度か。5.684×10−3倍＝x÷360ｘ＝5.684×10−3倍×360＝2.046(度)。この軌道の速度は、速度2＝4.827×1027JKm÷半径＝4.827×1027JKm÷(140.066×108光年)＝4.827×1027JKm÷(140.066×108×9.46×1012Km)＝3.643×104J速度＝(3.643×104)1/2=1.909×102Km。・スローン・グレートウオ―ルは、地球からの距離は10.6×108光年の位置にあり、長さは全長13.7×108光年です。スローン・グレートウオ―ルが存在する軌道半径＝地球が存在する軌道半径−10.6×108光年＝142.066×108光年−10.6×108光年＝131.466×108光年。スローン・グレートウオ―ルが存在する軌道の円周＝2πr=2π×131.466×108光年＝8.256×1010光年。スローン・グレートウオ―ルの長さ÷軌道の円周＝13.7×108光年÷(8.256×1010光年)＝1.659×10−2倍。これは360分の何度か。1.659×10−2倍＝x÷360ｘ＝1.659×10−2倍×360＝5.974(度)。この軌道の速度は、速度2＝4.827×1027JKm÷半径＝4.827×1027JKm÷(131.466×108光年)＝4.827×1027JKm÷(131.466×108×9.46×1012Km)＝3.881×104速度＝(3.881×104)1/2=1.970×102Km。・大クエーサー群である、U1.27は、地球から、129.2×１08光年の距離にあり、長さは最大で40.4×108光年、平均直径は16.3×108光年である。U1.27が存在する軌道半径＝地球が存在する軌道半径−129.2×１08光年=142.066×108光年−129.2×１08光年=12.866×１08光年。U1.27が存在する軌道の円周＝2πr=2π×12.866×１08光年＝8.080×109光年。・U1.27の長さは軌道の円周の何倍か。最大の長さの場合。U1.27の長さ÷軌道の円周＝40.4×108光年÷(8.080×109光年)＝0.5倍。・これは360分の何度か。0.5倍＝x÷360ｘ＝0.5×360＝180(度)。・U1.27の長さは軌道の円周の何倍か。平均直径の場合。U1.27の長さ÷軌道の円周＝16.3×108光年÷(8.080×109光年)＝2.017×10−1倍。・これは360分の何度か。2.017×10−1倍＝x÷360x=2.017×10−1倍×360＝72.612(度)。・この軌道の速度はいくらか。速度2＝4.827×1027JKm÷半径＝4.827×1027JKm÷(12.866×１08光年)＝4.827×1027JKm÷(12.866×１08×9.46×1012Km)＝3.966×105J速度＝(3.966×105)1/2=6.298× 102Km。このデータ−を図示する。
【発明を実施するための形態】
【０００８】
１．    大クエーサー群の一覧より、最も遠くの大クエーサー群はコンバーグ・クラフツオフ・ルカシュ大クエーサー群8で、176.8×108光年です。
それで、宇宙の半径を180×108光年とする。この軌道に地球は存在するとする。
・この軌道半径の速度はいくらか。
宇宙の中心のブラックホールが作る軌道エネルギーの式より、
速度2＝4.827×1027JKm÷半径＝4.827×1027JKm÷(180×108光年)＝4.827×1027JKm÷(180×108×9.46×1012Km)＝2.835×104J
速度＝(2.835×104)1/2=1.684
×102Km
宇宙の半径を180×108光年とすると、この軌道の速度は1.684 ×102Kmです。
この軌道に地球が存在するとする。
２．  宇宙の半径を180×108光年とする。この軌道に地球は存在するとする。宇宙におけるグレートウオ―ルはどのようであるか。
グレートウオールは、地球から約2×108光年離れた位置にあり、5×108光年以上の長さです。
・グレートウオ―ルの軌道半径はいくらか。
グレートウオールは、地球から約2×108光年離れた位置にあるから、
グレートウオールが存在する軌道半径＝地球が存在する軌道半径−2×108光年＝180×108光年−2×108光年＝178×108光年。
・グレートウオールが存在する軌道の円周はいくらか。
2πr=2π×178×108光年＝11.18×1010光年。
・グレートウオールの長さは軌道の円周の何倍か。
グレートウオールの長さ÷軌道の円周＝5×108光年÷(11.18×1010光年)＝4.472×10−3倍
・これは360分の何度か。
4.472×10−3倍＝x÷360
ｘ＝4.472×10−3倍×360＝1.610(度)
・この軌道の速度はいくらか。
速度2＝4.827×1027JKm÷半径＝4.827×1027JKm÷(178×108光年)＝4.827×1027JKm÷(178×108×9.46×1012Km)＝2.867×104J
速度＝(2.867×104)1/2=1.693×102Km。
３．    宇宙の半径を180×108光年とする。この軌道に地球は存在するとする。宇宙におけるスローン・グレートウオ―ルはどのようであるか。
スローン・グレートウオ―ルは、地球からの距離は10.6×108光年の位置にあり、長さは全長13.7×108光年です。
・スローン・グレートウオ―ルの軌道半径はいくらか。
スローン・グレートウオ―ルは、地球から10.6×108光年離れた位置にあるから、
スローン・グレートウオ―ルが存在する軌道半径＝地球が存在する軌道半径−10.6×108光年＝180×108光年−10.6×108光年＝169.4×108光年。
・スローン・グレートウオ―ルが存在する軌道の円周はいくらか。
2πr=2π×169.4×108光年＝10.64×1010光年。
・スローン・グレートウオ―ルの長さは軌道の円周の何倍か。
スローン・グレートウオ―ルの長さ÷軌道の円周＝13.7×108光年÷(10.64×1010光年)＝1.288×10−2倍
・これは360分の何度か。
1.288×10−2倍＝x÷360
ｘ＝1.288×10−2倍×360＝4.637(度)
・この軌道の速度はいくらか。
速度2＝4.827×1027JKm÷半径＝4.827×1027JKm÷(169.4×108光年)＝4.827×1027JKm÷(169.4×108×9.46×1012Km)＝3.012×104J
速度＝(3.012×104)1/2=1.736×102Km。
４．    宇宙の半径を180×108光年とする。この軌道に地球は存在するとする。宇宙における大クエーサー群である、U1.27はどのようであるか。
大クエーサー群である、U1.27は、地球から、129.2×１08光年の距離にあり、長さは最大で40.4×108光年、平均直径は16.3×108光年である。
・U1.27の軌道半径はいくらか。
U1.27は、地球から129.2×１08光年の距離にあるから、
U1.27が存在する軌道半径＝地球が存在する軌道半径−129.2×１08光年=180×108光年−129.2×１08光年=50.8×１08光年。
・U1.27が存在する軌道の円周はいくらか。
2πr=2π×50.8×１08光年＝3.190×1010光年。
・U1.27の長さは軌道の円周の何倍か。最大の長さの場合。
U1.27の長さ÷軌道の円周＝40.4×108光年÷(3.190×1010光年)＝1.266×10−1倍。
・これは360分の何度か。
1.266×10−1倍＝x÷360
ｘ＝1.266×10−1倍×360＝45.58(度)。
・U1.27の長さは軌道の円周の何倍か。平均直径の場合。
U1.27の長さ÷軌道の円周＝16.3×108光年÷(3.190×1010光年)＝5.110×10−2倍。
・これは360分の何度か。
5.110×10−2倍＝x÷360
x=5.110×10−2倍×360＝18.40(度)。
・この軌道の速度はいくらか。
速度2＝4.827×1027JKm÷半径＝4.827×1027JKm÷(50.8×１08光年)＝4.827×1027JKm÷(50.8×１08×9.46×1012Km)＝1.004×105J
速度＝(1.004×105)1/2=3.169
× 102Km。
５．    大クエーサー群の一覧、より、最も遠くの大クエーサー群は176.8×108光年です。
それで、宇宙の半径を180×108光年とする。この軌道に地球は存在するとする。
この場合、グレートウオールが存在する軌道半径は、178×108光年です。
スローン・グレートウオ―ルが存在する軌道半径は、169.4×108光年です。
U1.27が存在する軌道半径は、50.8×１08光年です。
この軌道半径は大きすぎます。
なぜなら、特願  2013−023929  の「請求項2」では、宇宙の半径は、速度が3×102Kmになる軌道半径で、5.669×109光年であると考えたからです。
６．    それで、宇宙の半径を150×108光年とする。この軌道に地球は存在するとする。
・この軌道半径の速度はいくらか。
宇宙の中心のブラックホールが作る軌道エネルギーの式、速度2＝4.827×1027JKm÷半径＝4.827×1027JKm÷(150×108光年)＝4.827×1027JKm÷(150×108×9.46×1012Km)＝3.402×104J
速度＝(3.402×104)1/2=1.844
×102Km。
宇宙の半径を150×108光年とすると、この軌道の速度は1.844 ×102Kmです。
この軌道に地球が存在するとする。
７．    宇宙の半径を150×108光年とする。この軌道に地球は存在するとする。この場合、宇宙におけるグレートウオ―ルはどのようであるか。
・グレートウオ―ルの軌道半径はいくらか。
グレートウオールは、地球から約2×108光年離れた位置にあるから、
グレートウオールが存在する軌道半径＝地球が存在する軌道半径−2×108光年＝150×108光年−2×108光年＝148×108光年。
・グレートウオールが存在する軌道の円周はいくらか。
2πr=2π×148×108光年＝9.294×1010光年。
・グレートウオールの長さは軌道の円周の何倍か。
グレートウオールの長さ÷軌道の円周＝5×108光年÷(9.294×1010光年)＝5.380×10−3倍。
・これは360度分の何度か。
5.380×10−3倍＝x÷360
ｘ＝5.380×10−3倍×360＝1.937(度)。
・この軌道の速度はいくらか。
速度2＝4.827×1027JKm÷半径＝4.827×1027JKm÷(148×108光年)＝4.827×1027JKm÷(148×108×9.46×1012Km)＝3.448×104J
速度＝(3.448×104)1/2=1.857×102Km。
８．    宇宙の半径を150×108光年とする。この軌道に地球は存在するとする。この場合、宇宙におけるスローン・グレートウオ―ルはどのようであるか。    
・スローン・グレートウオ―ルの軌道半径はいくらか。
スローン・グレートウオ―ルは、地球から10.6×108光年離れた位置にあるから、
スローン・グレートウオ―ルが存在する軌道半径＝地球が存在する軌道半径−10.6×108光年＝150×108光年−10.6×108光年＝139.4×108光年。
・スローン・グレートウオ―ルが存在する軌道の円周はいくらか。
2πr=2π×139.4×108光年＝8.754×1010光年。
・スローン・グレートウオ―ルの長さは軌道の円周の何倍か。
スローン・グレートウオ―ルの長さ÷軌道の円周＝13.7×108光年÷(8.754×1010光年)＝1.565×10−2倍。
・これは360分の何度か。
1.565×10−2倍＝x÷360
ｘ＝1.565×10−2倍×360＝5.634(度)。
・この軌道の速度はいくらか。
速度2＝4.827×1027JKm÷半径＝4.827×1027JKm÷(139.4×108光年)＝4.827×1027JKm÷(139.4×108×9.46×1012Km)＝3.660×104J
速度＝(3.660×104)1/2=1.913×102Km。
９．    宇宙の半径を150×108光年とする。この軌道に地球は存在するとする。この場合、宇宙における大クエーサー群である、U1.27はどのようであるか。
・U1.27の軌道半径はいくらか。
U1.27は、地球から129.2×１08光年の距離にあるから、
U1.27が存在する軌道半径＝地球が存在する軌道半径−129.2×１08光年=150×108光年−129.2×１08光年=20.8×１08光年。
・U1.27が存在する軌道の円周はいくらか。
2πr=2π×20.8×１08光年＝1.306×1010光年。
・U1.27の長さは軌道の円周の何倍か。最大の長さの場合。
U1.27の長さは÷軌道の円周＝40.4×108光年÷(1.306×1010光年)＝3,093×10−1倍。
・これは360分の何度か。
3.093×10−1倍＝x÷360
ｘ＝3.093×10−1倍×360＝1.114×102(度)。
・U1.27の長さは軌道の円周の何倍か。平均直径の場合。
U1.27の長さは÷軌道の円周＝16.3×108光年÷(1.306×1010光年)＝1.248×10−1倍。
・これは360分の何度か。
1.248×10−1倍＝x÷360
x=1.248×10−1倍×360＝44.928(度)。
・この軌道の速度はいくらか。
速度2＝4.827×1027JKm÷半径＝4.827×1027JKm÷(20.8×１08光年)＝4.827×1027JKm÷(20.8×１08×9.46×1012Km)＝2.453×105J
速度＝(2.453×105)1/2=4.953
× 102Km。
１０．    宇宙の半径を150×108光年とする。この軌道に地球は存在するとする。この場合、U1.27が存在する軌道半径は、20.8×１08光年です。この軌道半径は大きすぎます。宇宙の半径はいくらか。
・宇宙の中心のブラックホールが作る軌道で、光速になる軌道半径はいくらか。
半径＝4.827×1027JKm÷速度2＝4.827×1027JKm÷(3×105)2＝4.827×1027JKm÷(9×1010)J＝5.363×1016Km。
5.363×1016Km÷(9.46×1012Km)＝5.669×103光年。
宇宙の中心のブラックホールが作る軌道で、光速になる軌道半径は5.669×103光年です。ここまでインフレーションで拡大する。
この時代を10−20m時代とする。この事については、2013年2月15日に提出した、特願2013−027190、「請求項６」にも記した。
10−20m時代の軌道半径は、5.669×103光年。
10−19m時代の軌道半径は、5.669×104光年。
10−18m時代の軌道半径は、5.669×105光年。
10−17m時代の軌道半径は、5.669×106光年。
10−16m時代の軌道半径は、5.669×107光年。1億年時代
10−15m時代の軌道半径は、5.669×108光年。10億年時代
10−14m時代の軌道半径は、5.669×107光年。100億年時代で、太陽の中心の電子のラブの公転軌道。
10−16m時代は“ブラックホールの素子時代”であり、この場で中心のブラックホールができ、クエーサーができた。
10−15m時代に大クエーサー群ができたと考える。そうすると、10−15m時代の軌道半径は、5.669×108光年で10億年時代です。
それで、U1.27が存在する軌道半径を、5.08×１08光年とする。
宇宙の半径＝U1.27が存在する軌道半径＋U1.27までの距離＝5.08×１08光年＋129.2×108光年＝134.28×108光年。
宇宙の半径は134.28×108光年となる。但し、この半径は地球が存在する軌道半径です。
１１．    宇宙の半径を134.28×108光年とする。この軌道に地球は存在するとする。この場合、この軌道の速度はいくらか。
速度2＝4.827×1027JKm÷半径＝4.827×1027JKm÷(134.28×108光年)＝4.827×1027JKm÷(134.28×108×9.46×1012Km)＝3.800×104J
速度＝(3.800×104)1/2=1.949×102Km。
宇宙の半径を134.28×108光年とする。この軌道に地球は存在するとする。この軌道の速度は1.949×102Kmです
１２．    宇宙の半径を134.28×108光年とする。この軌道に地球は存在するとする。この場合、宇宙におけるグレートウオ―ルはどのようであるか。
・グレートウオ―ルの軌道半径はいくらか。
グレートウオールは、地球から約2×108光年離れた位置にあるから、
グレートウオールが存在する軌道半径＝地球が存在する軌道半径−2×108光年＝134.28×108光年−2×108光年＝132.28×108光年。
・グレートウオールが存在する軌道の円周はいくらか。
2πr=2π×132.28×108光年＝8.307×1010光年。
・グレートウオールの長さは軌道の円周の何倍か。
グレートウオールの長さ÷軌道の円周＝5×108光年÷(8.307×1010光年)＝6.019×10−3倍。
・これは360度分の何度か。
6.019×10−3倍＝x÷360
ｘ＝6.019×10−3倍×360＝2.167(度)。
・この軌道の速度はいくらか。
速度2＝4.827×1027JKm÷半径＝4.827×1027JKm÷(132.28×108光年)＝4.827×1027JKm÷(132.28×108×9.46×1012Km)＝3.857×104J
速度＝(3.85×104)1/2=1.964×102Km。
１３．    宇宙の半径を134.28×108光年とする。この軌道に地球は存在するとする。この場合、宇宙におけるスローン・グレートウオ―ルはどのようであるか。
・スローン・グレートウオ―ルの軌道半径はいくらか。
スローン・グレートウオ―ルは、地球から10.6×108光年離れた位置にあるから、
スローン・グレートウオ―ルが存在する軌道半径＝地球が存在する軌道半径−10.6×108光年＝134.28×108光年−10.6×108光年＝123.68×108光年。
・スローン・グレートウオ―ルが存在する軌道の円周はいくらか。
2πr=2π×123.68×108光年＝7.767×1010光年。
・スローン・グレートウオ―ルの長さは軌道の円周の何倍か。
スローン・グレートウオ―ルの長さ÷軌道の円周＝13.7×108光年÷(7.767×1010光年)＝1.764×10−2倍。
・これは360分の何度か。
1.764×10−2倍＝x÷360
ｘ＝1.764×10−2倍×360＝6.350(度)。
・この軌道の速度はいくらか。
速度2＝4.827×1027JKm÷半径＝4.827×1027JKm÷(123.68×108光年)＝4.827×1027JKm÷(123.68×108×9.46×1012Km)＝4.126×104
速度＝(4.126×104)1/2=2.031×102Km。
１４．    宇宙の半径を134.28×108光年とする。この軌道に地球は存在するとする。この場合、大クエーサー群である、U1.27はどのようであるか。
・U1.27の軌道半径はいくらか。
U1.27は、地球から129.2×１08光年の距離にあるから、
U1.27が存在する軌道半径＝地球が存在する軌道半径−129.2×１08光年=134.28×108光年−129.2×１08光年=5.08×１08光年。
・U1.27が存在する軌道の円周はいくらか。
2πr=2π×5.08×１08光年＝3.190×109光年。
・U1.27の長さは軌道の円周の何倍か。最大の場合。
U1.27の長さ÷軌道の円周＝40.4×108光年÷(3.190×109光年)＝1.266倍。
・これは360分の何度か。
1.266倍＝x÷360
ｘ＝1.266倍×360＝455.76(度)。
・U1.27の長さは軌道の円周の何倍か。平均直径の場合。
U1.27の長さは÷軌道の円周＝16.3×108光年÷(3.190×109光年)＝5.110×10−1倍。
・これは360分の何度か。
5.110×10−1倍＝x÷360
x=5.110×10−1倍×360＝183.96(度)。
・この軌道の速度はいくらか。
速度2＝4.827×1027JKm÷半径＝4.827×1027JKm÷(5.08×１08光年)＝4.827×1027JKm÷(5.08×１08×9.46×1012Km)＝1.004×106J
速度＝(1.004×106)1/2=1.002× 103Km。
１５．    U1.27の最大の長さは40.4×108光年である。この長さが180度である場合、宇宙の半径はいくらか。
宇宙の形は球形です。しかし、観察可能圏は約この半分です。この事については、2013年4月15日に提出した、特願2013−084552の「請求項9」に記した。
U1.27の最大の長さは40.4×108光年である。この長さが180度である場合、観察可能圏です。
それで、U1.27の最大の長さが180度となる宇宙の軌道半径を求める。
・U1.27の長さは軌道の円周の何倍か。
U1.27の長さは軌道の円周の倍数＝180度÷360度＝0.5(倍)
・軌道円周はいくらか。
軌道の円周＝U1.27の長さ÷0.5＝40.4×108光年÷0.5＝80.8×108光年
・U1.27が存在する軌道半径はいくらか。
2πｒ＝80.8×108光年
r＝80.8×108光年÷2π＝12.866×108光年。
・地球が存在する軌道半径はいくらか。
U1.27は、地球から129.2×１08光年の距離にあるから、
地球が存在する軌道半径＝U1.27が存在する軌道半径＋地球からの距離＝12.866×108光年＋129.2×１08光年＝142.066×１08光年。
U1.27の最大の長さは40.4×108光年である。この長さが180度である場合、宇宙の軌道半径は142.066×１08光年です。
１６．    宇宙の半径を142.066×108光年とする。この軌道に地球は存在するとする。この場合、この軌道の速度はいくらか。
速度2＝4.827×1027JKm÷半径＝4.827×1027JKm÷(142.066×108光年)＝4.827×1027JKm÷(142.066×108×9.46×1012Km)＝3.592×104J
速度＝(3.592×104)1/2=1.895×102Km。
宇宙の半径を142.066×108光年とする。この軌道に地球は存在するとする。この軌道の速度は1.895×102Kmです。
１７．    宇宙の半径を142.066×108光年とする。この軌道に地球は存在するとする。この場合、宇宙におけるグレートウオ―ルはどのようであるか。
・グレートウオ―ルの軌道半径はいくらか。
グレートウオールは、地球から約2×108光年離れた位置にあるから、
グレートウオールが存在する軌道半径＝地球が存在する軌道半径−2×108光年＝142.066×108光年−2×108光年＝140.066×108光年。
・グレートウオールが存在する軌道の円周はいくらか。
2πr=2π×140.066×108光年＝8.796×1010光年。
・グレートウオールの長さは軌道の円周の何倍か。
グレートウオールの長さ÷軌道の円周＝5×108光年÷(8.796×1010光年)＝5.684×10−3倍。
・これは360度分の何度か。
5.684×10−3倍＝x÷360
ｘ＝5.684×10−3倍×360＝2.046(度)。
・この軌道の速度はいくらか。
速度2＝4.827×1027JKm÷半径＝4.827×1027JKm÷(140.066×108光年)＝4.827×1027JKm÷(140.066×108×9.46×1012Km)＝3.643×104J
速度＝(3.643×104)1/2=1.909×102Km。
１８．    宇宙の半径を142.066とする。この軌道に地球は存在するとする。この場合、宇宙におけるスローン・グレートウオ―ルはどのようであるか。
・スローン・グレートウオ―ルの軌道半径はいくらか。
スローン・グレートウオ―ルは、地球から10.6×108光年離れた位置にあるから、
スローン・グレートウオ―ルが存在する軌道半径＝地球が存在する軌道半径−10.6×108光年＝142.066×108光年−10.6×108光年＝131.466×108光年。
・スローン・グレートウオ―ルが存在する軌道の円周はいくらか。
2πr=2π×131.466×108光年＝8.256×1010光年。
・スローン・グレートウオ―ルの長さは軌道の円周の何倍か。
スローン・グレートウオ―ルの長さ÷軌道の円周＝13.7×108光年÷(8.256×1010光年)＝1.659×10−2倍。
・これは360分の何度か。
1.659×10−2倍＝x÷360
ｘ＝1.659×10−2倍×360＝5.974(度)。
・この軌道の速度はいくらか。
速度2＝4.827×1027JKm÷半径＝4.827×1027JKm÷(131.466×108光年)＝4.827×1027JKm÷(131.466×108×9.46×1012Km)＝3.881×104J
速度＝(3.881×104)1/2=1.970×102Km。
１９．    宇宙の半径を142.066×108光年とする。この軌道に地球は存在するとする。この場合、大クエーサー群である、U1.27はどのようであるか。
・U1.27の軌道半径はいくらか。
U1.27は、地球から129.2×１08光年の距離にあるから、
U1.27が存在する軌道半径＝地球が存在する軌道半径−129.2×１08光年=142.066×108光年−129.2×１08光年=12.866×１08光年。
・U1.27が存在する軌道の円周はいくらか。
2πr=2π×12.866×１08光年＝8.080×109光年。
・U1.27の長さは軌道の円周の何倍か。最大の長さの場合。
U1.27の長さは÷軌道の円周＝40.4×108光年÷(8.080×109光年)＝0.5倍。
・これは360分の何度か。
0.5倍＝x÷360
ｘ＝0.5×360＝180(度)。
・U1.27の長さは軌道の円周の何倍か。平均直径の場合。
U1.27の長さは÷軌道の円周＝16.3×108光年÷(8.080×109光年)＝2.017×10−1倍。
・これは360分の何度か。
2.017×10−1倍＝x÷360
x=2.017×10−1倍×360＝72.612(度)。
・この軌道の速度はいくらか。
速度2＝4.827×1027JKm÷半径＝4.827×1027JKm÷(12.866×１08光年)＝4.827×1027JKm÷(12.866×１08×9.46×1012Km)＝3.966×105J
速度＝(3.966×105)1/2=6.298× 102Km。
これらの事を表に示す。
表1
2015080288.tif 000003
2015080288.tif 000004
この表から理解できる事。
１．宇宙の半径は、142.066×108光年より大きい。
2．U1.27の最大の長さは40.4×108光年である。
この長さが180度である場合、宇宙の軌道半径は142.066×１08光年です。
この事により、宇宙の大規模構造の上限は12億光年でないことが証明された。
宇宙の軌道半径は142.066×１08光年より大きい場合、角度は180より小さくなる。
しかし、この場合、U1.27が存在する軌道半径は大きく成り過ぎる。
【産業上の利用可能性】
【０００９】
宇宙を理解することは知恵を増すことであり、知恵を増すことは産業を繁栄させる礎になる。
【符号の説明】
【００１０】
１    宇宙の中心のブラックホール
２    宇宙の半径が142.066×108光年の場合
３    地球
４    グレートウオール
５    軌道半径は140.066×108光年。
６    軌道円周は8.796×1010光年
７    グレートウオールの長さ÷軌道の円周は5.684×10−3倍で、グレートウオールの角度は2.046度
８    軌道の速度は1.909×102Km
９    スローン・グレートウオ―ル
１０    軌道半径は131.466×108光年
１１    軌道円周は8.256×1010光年
１２    スローン・グレートウオ―ルの長さ÷軌道の円周は1.659×10−2倍で、角度は5.974度
１３    軌道の速度は1.970×102Km
１４    U1.27の最大の長さは40.4×108光年
１５    U1.27の平均の長さは16.3×108光年
１６    軌道半径は12.866×１08光年
１７    軌道円周は8.080×109光年
１８    U1.27の最大の長さ÷軌道の円周は0.5倍で、角度は180度
１９    U1.27の平均の長さ÷軌道の円周は2.017×10−1倍で、角度は72.612度
２０    軌道の速度は6.298× 102Km
【図１】
2015080288.tif 000007